(57)【特許請求の範囲】
【請求項１】
登録されている電話機の識別情報に基づいて該電話機の呼接続処理を行う登録サーバと通信可能な無線ＬＡＮ電話機と、前記登録サーバおよび前記無線ＬＡＮ電話機と通信可能な有線ＬＡＮ電話機と、を含む電話機システムであって、
前記無線ＬＡＮ電話機は、
前記無線ＬＡＮ電話機の識別情報を記憶する記憶手段と、
充電台と着脱可能な着脱手段と、
前記着脱手段に前記充電台が着けられたか否かを検出する検出手段と、
前記検出手段にて前記充電台が着けられたことが検出されると、前記登録サーバから、前記記憶手段に記憶されている識別情報を削除する制御手段と、
前記制御手段が識別情報を削除すると、前記有線ＬＡＮ電話機の識別情報を登録する旨の登録要求を送信する送信手段と、を含み、
前記有線ＬＡＮ電話機は、
前記有線ＬＡＮ電話機の識別情報を記憶する記録手段と、
前記無線ＬＡＮ電話機から前記登録要求を受信する受付手段と、
前記受付手段が前記登録要求を受信すると、前記登録サーバに、前記記録手段に記憶されている識別情報を登録する管理手段と、を含む、電話機システム。
【請求項２】
請求項１に記載の電話機システムにおいて、
前記送信手段は、前記検出手段にて前記充電台が外れたことが検出されると、前記有線ＬＡＮ電話機の識別情報を削除する旨の登録削除要求を送信し、
前記受付手段は、前記無線ＬＡＮ電話機から前記登録削除要求を受信し、
前記管理手段は、前記受付手段が前記登録削除要求を受信すると、前記登録サーバから、前記記録手段に記憶されている識別情報を削除し、
前記有線ＬＡＮ電話機は、前記管理手段が識別情報を削除すると、該識別情報を削除した旨の登録削除成功情報を送信する出力手段を含み、
前記無線ＬＡＮ電話機は、前記有線ＬＡＮ電話機から前記登録削除成功情報を受信する受信手段を含み、
前記制御手段は、前記受信手段が前記登録削除成功情報を受信すると、前記登録サーバに、前記記憶手段に記憶されている識別情報を登録する、電話機システム。
【請求項３】
請求項１または２に記載の電話機システムにおいて、
前記充電台をさらに含む、電話機システム。
【請求項４】
登録サーバと、前記登録サーバと通信可能な無線ＬＡＮ電話機と、前記登録サーバおよび前記無線ＬＡＮ電話機と通信可能な有線ＬＡＮ電話機と、を含む電話機システムであって、
前記登録サーバは、
電話機の識別情報を登録する登録手段と、
前記登録手段に登録されている識別情報の電話機の呼接続処理を行う処理手段と、を含み、
前記無線ＬＡＮ電話機は、
前記無線ＬＡＮ電話機の識別情報を記憶する記憶手段と、
充電台と着脱可能な着脱手段と、
前記着脱手段に前記充電台が着けられたか否かを検出する検出手段と、
前記検出手段にて前記充電台が着けられたことが検出されると、前記登録手段から、前記記憶手段に記憶されている識別情報を削除する制御手段と、
前記制御手段が識別情報を削除すると、前記有線ＬＡＮ電話機の識別情報を登録する旨の登録要求を送信する送信手段と、を含み、
前記有線ＬＡＮ電話機は、
前記有線ＬＡＮ電話機の識別情報を記憶する記録手段と、
前記無線ＬＡＮ電話機から前記登録要求を受信する受付手段と、
前記受付手段が前記登録要求を受信すると、前記登録手段に、前記記録手段に記憶されている識別情報を登録する管理手段と、を含む、電話機システム。
【請求項５】
請求項４に記載の電話機システムにおいて、
前記送信手段は、前記検出手段にて前記充電台が外れたことが検出されると、前記有線ＬＡＮ電話機の識別情報を削除する旨の登録削除要求を送信し、
前記受付手段は、前記無線ＬＡＮ電話機から前記登録削除要求を受信し、
前記管理手段は、前記受付手段が前記登録削除要求を受信すると、前記登録サーバから、前記記録手段に記憶されている識別情報を削除し、
前記有線ＬＡＮ電話機は、前記管理手段が識別情報を削除すると、該識別情報を削除した旨の登録削除成功情報を送信する出力手段を含み、
前記無線ＬＡＮ電話機は、前記有線ＬＡＮ電話機から前記登録削除成功情報を受信する受信手段を含み、
前記制御手段は、前記受信手段が前記登録削除成功情報を受信すると、前記登録手段に、前記記憶手段に記憶されている識別情報を登録する、電話機システム。
【請求項６】
請求項４または５に記載の電話機システムにおいて、
前記充電台をさらに含む、電話機システム。
【請求項７】
登録されている電話機の識別情報に基づいて該電話機の呼接続処理を行う登録サーバと通信可能な無線ＬＡＮ電話機と、前記登録サーバおよび前記無線ＬＡＮ電話機と通信可能な有線ＬＡＮ電話機とを含み、前記無線ＬＡＮ電話機が、前記無線ＬＡＮ電話機の識別情報を記憶する記憶手段と、充電台と着脱可能な着脱手段とを含み、前記有線ＬＡＮ電話機が、前記有線ＬＡＮ電話機の識別情報を記憶する記録手段を含む、電話機システムによる切り替え方法であって、
前記無線ＬＡＮ電話機が、前記着脱手段に前記充電台が着けられたか否かを検出し、
前記無線ＬＡＮ電話機が、前記充電台が着けられたことが検出されると、前記登録サーバから、前記記憶手段に記憶されている識別情報を削除し、
前記無線ＬＡＮ電話機が、前記識別情報が削除されると、前記有線ＬＡＮ電話機の識別情報を登録する旨の登録要求を送信し、
前記有線ＬＡＮ電話機が、前記無線ＬＡＮ電話機から前記登録要求を受信し、
前記有線ＬＡＮ電話機が、前記登録要求が受信されると、前記登録サーバに、前記記録手段に記憶されている識別情報を登録する、切り替え方法。
【請求項８】
請求項７に記載の切り替え方法において、
前記無線ＬＡＮ電話機が、前記充電台が外れたことが検出されると、前記有線ＬＡＮ電話機の識別情報を削除する旨の登録削除要求を送信し、
前記有線ＬＡＮ電話機が、前記無線ＬＡＮ電話機から前記登録削除要求を受信し、
前記有線ＬＡＮ電話機が、前記登録削除要求が受信されると、前記登録サーバから、前記記録手段に記憶されている識別情報を削除し、
前記有線ＬＡＮ電話機が、前記識別情報が削除されると、前記識別情報を削除した旨の登録削除成功情報を送信し、
前記無線ＬＡＮ電話機が、前記有線ＬＡＮ電話機から前記登録削除成功情報を受信し、
前記無線ＬＡＮ電話機が、前記登録削除成功情報が受信されると、前記登録サーバに、前記記憶手段に記憶されている識別情報を登録する、切り替え方法。
【発明の詳細な説明】
【技術分野】
【０００１】
本発明は、充電台との着脱状態の変化によって無線ＬＡＮ電話機（Ｌｏｃａｌ・Ａｒｅａ・Ｎｅｔｗｏｒｋ）と有線ＬＡＮ電話機とを切り替えるＬＡＮ電話機および切り替え方法に関する。
【背景技術】
【０００２】
無線ＬＡＮ端末は、会議中や移動中でも使用することができることから、最近注目を集めている。しかしながら、無線ＬＡＮ端末は、無線を使用しているので妨害波などの影響を受けやすい。このため、無線ＬＡＮ端末では、通信状況が不安定になり、通信が出来なくなることがたびたび発生する。
【０００３】
一方、有線ＬＡＮ端末は、無線ＬＡＮ端末に比べて安定した通信を行うことが可能であるが、有線を使用しているので移動中などでは使用することができない。
【０００４】
このことから、状況に応じて無線ＬＡＮ通信と有線ＬＡＮ通信とを切り替えることが可能な技術が求められていた。このような技術には、特許文献１に記載の無線ＬＡＮ装置がある。
【０００５】
特許文献１に記載の無線ＬＡＮ装置は、ステーションと、そのステーションの充電台とを備える。ステーションは、無線ＬＡＮおよびアクセスポイントを経由して有線ＬＡＮに接続する無線プロトコル処理部を備える。また、充電台と同じ筺体には、直接有線ＬＡＮに接続する有線プロトコル処理部を備える。
【０００６】
特許文献１に記載の無線ＬＡＮ装置では、ステーションが充電台と接着されると、無線プロトコル処理部が上位レイヤから切り離される。そして、有線プロトコル処理部がその上位レイヤと接続される。
【０００７】
これにより、ステーションが充電台に接着されると、ステーションは、充電台を経由して有線ＬＡＮ通信を行うことになり、無線ＬＡＮ装置が行う通信が、無線ＬＡＮ通信から有線ＬＡＮ通信に切り替えられる。
【特許文献１】特開２００１−２７４８０９号公報
【発明の開示】
【発明が解決しようとする課題】
【０００８】
近年、ＬＡＮ通信を用いて通話を行うＬＡＮ電話機が注目を集めている。また。ＬＡＮ電話機としては、無線ＬＡＮ電話機と有線ＬＡＮ電話機がある。
【０００９】
無線ＬＡＮ電話機は、通常の無線ＬＡＮ端末と同様に、通信状況が不安定になり、通話できなくなることがたびたび発生する。また、有線ＬＡＮ電話機は、通常の有線ＬＡＮ端末と同様に、移動中に使用することができない。
【００１０】
特許文献１に記載の発明を無線ＬＡＮ電話機に適用すれば、状況に応じて無線ＬＡＮ電話機と有線ＬＡＮ電話機とを切り替えることは可能である。しかしながら、特許文献１に記載の無線ＬＡＮ装置は、無線ＬＡＮ装置が有線ＬＡＮ通信を行っているので、以下のような問題がある。
【００１１】
無線ＬＡＮ電話機は、通常、有線ＬＡＮ電話機と異なり、ハンドセットが筺体の内部に組み込まれている。このため、ユーザは、無線ＬＡＮ電話機の筺体を手で持って通話する。
【００１２】
特許文献１に記載の無線ＬＡＮ端末では、充電台を経由して有線ＬＡＮ通信が行われる。したがって、特許文献１に記載の発明が無線ＬＡＮ電話機に適用された場合、ユーザは、有線ＬＡＮ通信で通話する際には、充電台と無線ＬＡＮ電話機とを両方とも手に持たなければならず、不便である問題がある。
【００１３】
本発明の目的は、上記の課題である、有線ＬＡＮ通信で通話する際に不便であるという問題を解決するＬＡＮ電話機システムおよび切り替え方法を提供することである。
【課題を解決するための手段】
【００１４】
本発明による第一の電話システムは、登録されている電話機の識別情報に基づいて該電話機の呼接続処理を行う登録サーバと通信可能な無線ＬＡＮ電話機と、前記登録サーバおよび前記無線ＬＡＮ電話機と通信可能な有線ＬＡＮ電話機と、を含む電話機システムであって、前記無線ＬＡＮ電話機は、前記無線ＬＡＮ電話機の識別情報を記憶する記憶手段と、充電台と着脱可能な着脱手段と、前記着脱手段に前記充電台が着けられたか否かを検出する検出手段と、前記検出手段にて前記充電台が着けられたことが検出されると、前記登録サーバから、前記記憶手段に記憶されている識別情報を削除する制御手段と、前記制御手段が識別情報を削除すると、前記有線ＬＡＮ電話機の識別情報を登録する旨の登録要求を送信する送信手段と、を含み、前記有線ＬＡＮ電話機は、前記有線ＬＡＮ電話機の識別情報を記憶する記録手段と、前記無線ＬＡＮ電話機から前記登録要求を受信する受付手段と、前記受付手段が前記登録要求を受信すると、前記登録サーバに、前記記録手段に記憶されている識別情報を登録する管理手段と、を含む。
【００１５】
本発明による第二の電話機システムは、登録サーバと、前記登録サーバと接続可能な無線ＬＡＮ電話機と、前記登録サーバおよび前記無線ＬＡＮ電話機と接続可能な有線ＬＡＮ電話機と、を含む電話機システムであって、前記送信手段は、前記検出手段にて前記充電台が外れたことが検出されると、前記有線ＬＡＮ電話機の識別情報を削除する旨の登録削除要求を送信し、前記受付手段は、前記無線ＬＡＮ電話機から前記登録削除要求を受信し、前記管理手段は、前記受付手段が前記登録削除要求を受信すると、前記登録サーバから、前記記録手段に記憶されている識別情報を削除し、前記有線ＬＡＮ電話機は、前記管理手段が識別情報を削除すると、該識別情報を削除した旨の登録削除成功情報を送信する出力手段を含み、前記無線ＬＡＮ電話機は、前記有線ＬＡＮ電話機から前記登録削除成功情報を受信する受信手段を含み、前記制御手段は、前記受信手段が前記登録削除成功情報を受信すると、前記登録サーバに、前記記憶手段に記憶されている識別情報を登録する。
【００１６】
本発明による切り替え方法は、登録されている電話機の識別情報に基づいて該電話機の呼接続処理を行う登録サーバと通信可能な無線ＬＡＮ電話機と、前記登録サーバおよび前記無線ＬＡＮ電話機と通信可能な有線ＬＡＮ電話機とを含み、前記無線ＬＡＮ電話機が、前記無線ＬＡＮ電話機の識別情報を記憶する記憶手段と、充電台と着脱可能な着脱手段とを含み、前記有線ＬＡＮ電話機が、前記有線ＬＡＮ電話機の識別情報を記憶する記録手段を含む、電話機システムによる切り替え方法であって、前記無線ＬＡＮ電話機が、前記着脱手段に前記充電台が着けられたか否かを検出し、前記無線ＬＡＮ電話機が、前記充電台が着けられたことが検出されると、前記登録サーバから、前記記憶手段に記憶されている識別情報を削除し、前記無線ＬＡＮ電話機が、前記識別情報が削除されると、前記有線ＬＡＮ電話機の識別情報を登録する旨の登録要求を送信し、前記有線ＬＡＮ電話機が、前記無線ＬＡＮ電話機から前記登録要求を受信し、前記有線ＬＡＮ電話機が、前記登録要求が受信されると、前記登録サーバに、前記記録手段に記憶されている識別情報を登録する。
【発明の効果】
【００１７】
本発明によれば、有線ＬＡＮ通信で通話する際の不便を解消することが可能になる。
【発明を実施するための最良の形態】
【００１８】
以下、本発明の実施形態について図面を参照して説明する。なお、以下の説明では、同じ機能を有する構成には同じ符号を付け、その説明を省略する場合がある。
【００１９】
図１は、本発明の第一の実施形態のＬＡＮ電話機システムを示したブロック図である。図１において、ＬＡＮ電話機システムは、登録サーバ１と、無線ＬＡＮ電話機２と、有線ＬＡＮ電話機３と、無線ＬＡＮ電話機２の充電台４とを含む。
【００２０】
無線ＬＡＮ電話機２は、無線ＡＰ（Access Point：アクセスポイント）５と無線ＬＡＮ通信を行い、無線ＡＰ５および有線ＬＡＮ網６を経由して登録サーバ１および有線ＬＡＮ電話機３と相互に通信可能である。また、有線ＬＡＮ電話機３は、有線ＬＡＮ網６を経由して登録サーバ１と相互に通信可能である。また、無線ＬＡＮ電話機２と充電台とは、着脱可能である。
【００２１】
登録サーバ１には、電話機の識別情報が登録される。登録サーバ１は、その登録された識別情報に基づいて、その識別情報の電話機に対する呼接続処理を行う。識別情報は、例えば、ＩＰアドレスである。
【００２２】
図２は、登録サーバ１の構成例を示したブロック図である。図２において、登録サーバ１は、登録部１１と、処理部１２とを含む。
【００２３】
登録部１１には、電話機の識別情報が登録される。なお、本実施形態では、無線ＬＡＮ電話機２の識別情報が予め登録されているものとする。
【００２４】
処理部１２は、登録部１１に登録されている識別情報に基づいて、その識別情報の電話機に対する呼接続処理を行う。なお、呼接続処理については、当業者にとって自明であるため、詳細な説明は省略する。
【００２５】
図３は、無線ＬＡＮ電話機２の構成例を示したブロック図である。図３において、無線ＬＡＮ電話機２は、記憶部２１と、充電部２２と、検出部２３と、制御部２４と、通信部２５を含む。
【００２６】
記憶部２１は、無線ＬＡＮ電話機２の識別情報を記憶する。
【００２７】
充電部２２は、着脱手段の一例である。充電部２２は、無線ＬＡＮ電話機２の充電台４と着脱可能である。また、充電部２２は、充電台４に着けられると、その充電台４から供給される電力を蓄える。無線ＬＡＮ電話機２は、その蓄えられた電力にて動作する。
【００２８】
検出部２３は、充電部２２に充電台４が着けられたか否かを検出する。ここで、検出部２３は、充電台４から充電部２２に給電が行われたことを、充電部２２に充電台４が着けられたこととして検出し、また、充電台４から充電部２２への給電が遮断されたことを、充電部２２から充電台４が外されたこととして検出してもよい。
【００２９】
制御部２４は、検出部２３にて充電部２２に充電台４が着けられたことが検出されると、登録サーバ１の登録部１１から、記憶部２１に記憶された無線ＬＡＮ電話機２の識別情報を削除する。
【００３０】
通信部２５は、制御部２４が識別情報を削除すると、有線ＬＡＮ電話機の識別情報を登録する旨の登録要求を有線ＬＡＮ電話機３に送信する。
【００３１】
図４は、有線ＬＡＮ電話機３の構成例を示したブロック図である。図４において、有線ＬＡＮ電話機３は、記録部３１と、通信部３２と、管理部３３とを含む。
【００３２】
記録部３１は、有線ＬＡＮ電話機３の識別情報を記憶する。
【００３３】
通信部３２は、無線ＬＡＮ電話機２から登録要求を受信する。
【００３４】
管理部３３は、通信部３２が登録要求を受信すると、記録部３１に記憶されている識別情報を登録サーバ１に登録する。
【００３５】
次に動作を説明する。
【００３６】
先ず、充電部２２に充電台４が着けられると、検出部２３は、充電部２２に充電台４が着けられたことを検出し、検出信号を制御部２４に送信する。
【００３７】
続いて、制御部２４は、検出信号を受信すると、記憶部２１に記憶された識別情報を取得し、その取得した識別情報を、登録サーバ１の登録部１１から削除する。
【００３８】
その後、制御部２４は、識別情報を削除すると、登録要求を生成し、その登録要求を、通信部２５、無線ＡＰ５および有線ＬＡＮ網６を経由して有線ＬＡＮ電話機３の通信部３２に送信する。
【００３９】
そして、通信部３２は、登録要求を受信すると、その登録要求を管理部３３に送信する。管理部３３は、登録要求を受信すると、記録部３１から識別情報を取得する。管理部３３は、その取得した識別情報を登録サーバ１に登録する。
【００４０】
次に効果を説明する。
【００４１】
本実施形態では、制御部２４は、検出部２３にて充電部２２が充電台に着けられたことが検出されると、登録サーバ１の登録部１１から、記憶部２１に記憶されている無線ＬＡＮ電話機２の識別情報を削除する。通信部３２は、制御部２４が識別情報を削除すると、登録要求を送信する。有線ＬＡＮ電話機３の通信部３２がその登録要求を受信すると、管理部３３は、記録部３１に記憶されている識別情報を登録サーバ１の登録部１１に登録する。
【００４２】
この場合、無線ＬＡＮ電話機２が充電台に着けられると、無線ＬＡＮ電話機２の識別情報が登録サーバ１から削除され、有線ＬＡＮ電話機３の識別情報が登録サーバ１に登録される。
【００４３】
よって、無線ＬＡＮ電話機２が充電台に着けられると、有線ＬＡＮ電話機３を用いて通話することが可能になる。したがって、無線ＬＡＮ電話機２を用いて有線ＬＡＮ通信を行わなくてもよくなるので、有線ＬＡＮ通信を行う際に、充電台と無線ＬＡＮ電話機２とを両方とも手に持つなどの不便を解消することが可能になる。
【００４４】
次に第二の実施形態について説明する。本実施形態では、電話機システムのより詳細な構成について説明する。
【００４５】
図５は、本実施形態の電話機システムの構成を示したブロック図である。図５において、電話機システムは、登録サーバ１と、無線ＬＡＮ電話機２と、有線ＬＡＮ電話機３と、充電台４とを含む。また、無線ＬＡＮ電話機２、有線ＬＡＮ電話機３および充電台４のそれぞれは、複数ある。
【００４６】
ここで、無線ＬＡＮ電話機２のそれぞれは、有線ＬＡＮ電話機３のいずれか一つと一対一で対応付けられている。また、充電台４は、無線ＬＡＮ電話機２のそれぞれに固有のものでもよいし、共通のものでもよい。
【００４７】
図６は、本実施形態の登録サーバ１の構成例を示したブロック図である。図６において、登録サーバ１は、登録部１１と、処理部１２と、サーバ受信部１３と、サーバ送信部１４とを含む。
【００４８】
登録部１１には、電話機のＩＰアドレスを電話番号ごとに対応付けた電話機情報が登録されている。ここで、電話番号は、電話機に割り当てられた内線電話番号である。なお、本実施形態では、電話機のＩＰアドレスを電話機の識別情報として用いている。
【００４９】
サーバ受信部１３は、無線ＬＡＮ電話機２および有線ＬＡＮ電話機３のそれぞれから、
ＩＰアドレスを登録する旨の登録要求と、ＩＰアドレスを削除する旨の登録削除要求とを受信する。登録要求および登録削除要求のそれぞれは、ＩＰアドレスおよび電話番号を含む。
【００５０】
処理部１２は、サーバ受信部１３が登録要求を受信すると、その登録要求に含まれるＩＰアドレスおよび電話番号を対応付けて登録部１１に登録する。
【００５１】
さらに、処理部１２は、サーバ受信部１３が登録削除要求を受信すると、その登録削除要求に含まれるＩＰアドレスおよび電話番号を登録部１１から削除する。
【００５２】
サーバ送信部１４は、処理部１２がＩＰアドレスを登録すると、ＩＰアドレスの登録が成功した旨の登録成功情報を、登録要求を送信した電話機に送信する。また、サーバ送信部１４は、処理部１２がＩＰアドレスを削除すると、ＩＰアドレスの削除が成功した旨の登録削除成功情報を、登録削除要求を送信した電話機に送信する。
【００５３】
図７は、無線ＬＡＮ電話機２および充電台４の構成例を示したブロック図である。図７において、無線ＬＡＮ電話機２は、記憶部２１と、充電部２２と、検出部２３と、制御部２４と、通信部２５とを含む。また、充電部２２は、充電端子２２ａと、充電制御部２２ｂと、蓄電部２２ｃとを含む。また、通信部２５は、受信部２５ａと、送信部２５ｂとを含む。さらに、充電台４は、充電端子４１と、電源部４２とを含む。
【００５４】
記憶部２１は、自機（無線ＬＡＮ電話機２）のＩＰアドレスと、自機に割り当てられた電話番号とを記憶する。また、記憶部２１は、自機に対応する有線ＬＡＮ電話機３のＩＰアドレスを記憶する。
【００５５】
充電端子２２ａおよび４１は、互いに着脱可能である。充電部２２ａおよび４１が互いに着けられると、電源部４２から充電制御部２２ｂへの給電が行われる。充電制御部２２ｂは、その給電による電力を蓄電部２２ｃに蓄える。なお、蓄電部２２ｃは、例えば、二次電池である。
【００５６】
検出部２３は、電源部４２から充電制御部２２ｂへの給電を監視し、給電が開始されたことを、充電部２２に充電台４が着けられたこととして検出する。また、検出部２３は、給電が遮断されたことを、充電部２２から充電台４が外されたこととして検出する。
【００５７】
受信部２５ａは、ＩＰアドレスの登録が成功したことを示す登録成功情報と、ＩＰアドレスの削除が成功したことを示す登録削除成功情報とを受信する。
【００５８】
送信部２５ｂは、検出部２３にて充電部２２から充電台４が外れたことが検出されると、登録削除要求を、記憶部２１にＩＰアドレスが記憶されている有線ＬＡＮ電話機３に送信する。
【００５９】
制御部２４は、検出部２３にて充電部２２に充電台４が着けられたことが検出されると、記憶部２１に記憶された自機のＩＰアドレスと電話番号とを含む登録削除要求を登録サーバ１に送信することで、登録サーバ１に登録された自機のＩＰアドレスを削除する。
【００６０】
また、制御部２４は、受信部２５ａが有線ＬＡＮ電話機３から登録削除成功情報を受信すると、記憶部２１に記憶された自機のＩＰアドレスと電話番号とを含む登録要求を登録サーバ１に送信することで、登録サーバ１に登録された自機のＩＰを削除する。
【００６１】
図８は、有線ＬＡＮ電話機３の構成例を示したブロック図である。図８において、有線ＬＡＮ電話機３は、記録部３１と、通信部３２と、管理部３３とを含む。また、通信部３２は、受付部３２ａと、出力部３２ｂとを含む。
【００６２】
記録部３１は、自電話機（有線ＬＡＮ電話機３）のＩＰアドレスと、自電話機に割り当てられた電話番号とを記憶する。また、記録部３１は、自電話機に対応する無線ＬＡＮ電話機２のＩＰアドレスを記憶する。なお、互いに対応する無線ＬＡＮ電話機２および有線ＬＡＮ電話機３のそれぞれに割り当てられた電話番号は、同じ番号であるとする。
【００６３】
受付部３２ａは、登録要求および登録削除要求を受信する。
【００６４】
管理部３３は、受付部３２ａが登録削除要求を受信すると、記録部３１に記憶された自電話機のＩＰアドレスと電話番号とを含む登録削除要求を登録サーバ１に送信することで、登録サーバ１に登録された自電話機のＩＰアドレスを削除する。
【００６５】
出力部３２ｂは、管理部３３がＩＰアドレスを削除すると、登録削除成功情報を、記録部３１にＩＰアドレスが記憶されている無線ＬＡＮ電話機２に送信する。
【００６６】
次に動作を説明する。
【００６７】
先ず、無線ＬＡＮ電話機２から有線ＬＡＮ電話機３へ切り替える際の電話機システムの動作を説明する。図９は、電話機システムの初期状態を示した説明図である。また、図１０は、無線ＬＡＮ電話機２から有線ＬＡＮ電話機３へ切り替える際の電話機システムの動作を説明するためのシーケンス図である。
【００６８】
図９で示した初期状態では、登録サーバ１には、無線ＬＡＮ電話機２のＩＰアドレスが登録されており、有線ＬＡＮ電話機３のＩＰアドレスは登録されていない。また、無線ＬＡＮ電話機２は、充電台４には着けられておらず、非充電中である。
【００６９】
図１０のステップＳ１では、無線ＬＡＮ電話機２の充電端子２２が充電台４の充電端子４１に着けられると、電源部４２から充電端子４１および充電端子２２を経由して充電制御部２２ｂへの給電が開始される。検出部２３は、給電が開始されたことを、充電部２２に充電台４が着けられたこととして検出し、検出信号を制御部２４に出力する。制御部２４は、検出信号を受信すると、ステップＳ２を実行する。
【００７０】
なお、検出部２３は、充電部２２から充電台４が外されたことを検出するまで、検出信号を出力し続けるものとする。
【００７１】
ステップＳ２では、制御部２４は、記憶部２１から自機のＩＰアドレスと、電話番号とを取得し、そのＩＰアドレスおよび電話番号を含む登録削除要求を生成する。制御部２４は、登録削除要求を、送信部２５ｂ、無線ＡＰ５および有線ＬＡＮ網６を経由して登録サーバ１のサーバ受信部１３に送信する。サーバ受信部１３は、登録削除要求を受信すると、ステップＳ３を実行する。
【００７２】
ステップＳ３では、サーバ受信部１３は、登録削除要求を処理部１２に送信する。処理部１２は、登録削除要求を受信すると、その登録削除要求に含まれるＩＰアドレスおよび電話番号を登録部１１から削除する。
【００７３】
処理部１２は、ＩＰアドレスおよび電話番号を削除すると、登録削除成功情報を生成し、その登録削除成功情報を、サーバ送信部１４、有線ＬＡＮ網６および無線ＡＰ５を経由して、登録削除要求に含まれるＩＰアドレスの無線ＬＡＮ電話機２の受信部２５ａに送信する。受信部２５ａは、登録削除成功情報を受信すると、ステップＳ４を実行する。
【００７４】
ステップＳ４では、受信部２５ａは、登録削除成功情報を制御部２４に送信する。制御部２４は、登録削除成功情報を受信すると、登録要求を生成するとともに、記憶部２１から有線ＬＡＮ電話機３のＩＰアドレスを取得する。制御部２４は、登録要求を、送信部２５ｂ、無線ＡＰ５および有線ＬＡＮ網６を経由して、その取得したＩＰアドレスの有線ＬＡＮ電話機３の受付部３２ａに送信する。受付部３２ａは、登録要求を受信すると、ステップＳ５を実行する。
【００７５】
ステップＳ５では、受付部３２ａは、その登録要求を管理部３３に送信する。管理部３３は、登録要求を受信すると、記録部３１から自電話機のＩＰアドレスと、電話番号とを取得する。管理部３３は、その取得したＩＰアドレスおよび電話番号を登録要求に加え、その加えた登録要求を、出力部３２ｂおよび有線ＬＡＮ網６を経由して登録サーバ１のサーバ受信部１３に送信する。サーバ受信部１３は、登録要求を受信すると、ステップＳ６を実行する。
【００７６】
ステップＳ６では、サーバ受信部１３は、登録要求を処理部１２に送信する。処理部１２は、登録要求を受信すると、その登録要求に含まれるＩＰアドレスおよび電話番号を対応付けて登録部１１に登録する。
【００７７】
処理部１２は、ＩＰアドレスおよび電話番号を登録すると、登録成功情報を生成し、その登録成功情報を、サーバ受信部１３および有線ＬＡＮ網６を経由して、登録要求に含まれるＩＰアドレスの有線ＬＡＮ電話機３の受付部３２ａに送信する。受付部３２ａは、登録成功情報を受信すると、ステップＳ７を実行する。
【００７８】
ステップＳ７では、受付部３２は、登録成功情報を管理部３３に送信する。管理部３３は、登録成功情報を受信すると、記録部３１から無線ＬＡＮ電話機２のＩＰアドレスを取得する。管理部３３は、登録成功情報を、出力部３２ｂ、無線ＡＰ５および有線ＬＡＮ網を経由して、その取得したＩＰアドレスの無線ＬＡＮ電話機２の受信部２５ａに送信する。
【００７９】
受信部２５ａは、登録成功情報を受信すると、その登録成功情報を制御部２４に送信する。制御部２４は、登録成功情報を受信すると、充電制御部２２ｂに蓄電部２２ｃへの充電を開始させて、処理を終了する。
【００８０】
次に、有線ＬＡＮ電話機３から無線ＬＡＮ電話機２へ切り替える際の電話機システムの動作を説明する。図１１は、電話機システムの初期状態を示した説明図である。また、図１２は、有線ＬＡＮ電話機３から無線ＬＡＮ電話機２へ切り替える際の電話機システムの動作を説明するためのシーケンス図である。
【００８１】
図１１で示した初期状態では、登録サーバ１には、有線ＬＡＮ電話機３のＩＰアドレスが登録されており、無線ＬＡＮ電話機２のＩＰアドレスは登録されていない。また、無線ＬＡＮ電話機２は、充電台４に着けられており、充電中である。
【００８２】
図１２のステップＳ１１では、無線ＬＡＮ電話機２の充電端子２２が充電台４の充電端子４１から外されると、電源部４２から充電制御部２２ｂへ給電が遮断される。検出部２３は、給電が遮断されたことを、充電部２２から充電台４が外されたこととして検出し、検出信号の出力を停止する。制御部２４は、検出信号の受信が停止されると、ステップＳ１２を実行する。
【００８３】
ステップＳ１２では、制御部２４は、登録削除要求を生成するとともに、記憶部２１から有線ＬＡＮ電話機３のＩＰアドレスを取得する。制御部２４は、登録削除要求を、送信部２５ｂ、無線ＡＰ５および有線ＬＡＮ網６を経由して、その取得したＩＰアドレスの有線ＬＡＮ電話機３の受付部３２ａに送信する。受付部３２ａは、登録削除要求を受信すると、ステップＳ１３を実行する。
【００８４】
ステップＳ１３では、受付部３２ａは、登録削除要求を管理部３３に送信する。管理部３３は、登録削除要求を受信すると、記録部３１から自電話機のＩＰアドレスと、電話番号とを取得する。管理部３３は、その取得したＩＰアドレスおよび電話番号を登録削除要求に加え、その加えた登録削除要求を、出力部３２ｂおよび有線ＬＡＮ網６を経由して登録サーバ１のサーバ受信部１３に送信する。サーバ受信部１３は、登録削除要求を受信すると、ステップＳ１４を実行する。
【００８５】
ステップＳ１４では、サーバ受信部１３は、登録削除要求を処理部１２に送信する。処理部１２は、登録削除要求を受信すると、その登録削除要求に含まれるＩＰアドレスおよび電話番号を登録部１１から削除する。
【００８６】
処理部１２は、ＩＰアドレスおよび電話番号を削除すると、登録削除成功情報を生成し、その登録削除成功情報を、サーバ送信部１４を経由して、登録削除要求に含まれるＩＰアドレスの有線ＬＡＮ電話機３の受付部３２ａに送信する。受付部３２ａは、登録削除成功情報を受信すると、ステップＳ１５を実行する。
【００８７】
ステップＳ１５では、受付部３２ａは、登録削除成功情報を管理部３３に送信する。管理部３３は、登録削除成功情報を受信すると、記録部３１から無線ＬＡＮ電話機のＩＰアドレスを取得する。管理部３３は、登録削除成功情報を、出力部３２ｂ、有線ＬＡＮ網６および無線ＡＰ５を経由して、その取得したＩＰアドレスの無線ＬＡＮ電話機２の受信部２５ａに送信する。受信部２５ａは、登録削除成功情報を受信すると、ステップＳ１６を実行する。
【００８８】
ステップＳ１６では、受信部２５ａは、登録削除成功情報を制御部２４に送信する。制御部２４は、登録削除成功情報を受信すると、記憶部２１から、自機のＩＰアドレスと電話番号とを取得し、そのＩＰアドレスおよび電話番号を含む登録要求を生成する。制御部２４は、登録要求を、送信部２５ｂ、無線ＡＰ５および有線ＬＡＮ網６を経由して登録サーバ１のサーバ受信部１３に送信する。サーバ受信部１３は、登録要求を受信すると、ステップＳ１７を実行する。
【００８９】
ステップＳ１７では、サーバ受信部１３は、登録要求を処理部１２に送信する。処理部１２は、登録要求を受信すると、その登録要求に含まれるＩＰアドレスおよび電話番号を対応付けて登録部１１に登録する。
【００９０】
処理部１２は、ＩＰアドレスおよび電話番号を登録すると、登録成功情報を生成し、その登録成功情報を、サーバ送信部１４、有線ＬＡＮ網６および無線ＡＰ５を経由して、登録要求に含まれるＩＰアドレスの無線ＬＡＮ電話機２の受信部２５ａに送信する。
【００９１】
受信部２５ａは、登録成功情報を受信すると、その登録成功情報を制御部２４に送信する。制御部２４は、登録成功情報を受信すると、処理を終了する。
【００９２】
次に効果を説明する。
【００９３】
本実施形態では、無線ＬＡＮ電話機２の制御部２４は、検出部２３にて充電台４が外されたことが検出されると、登録削除要求を送信する。有線ＬＡＮ電話機３の受付部３２ａが登録削除要求を受信すると、管理部３３は、登録サーバ１の登録部１１から、記録部３１に記憶されている有線ＬＡＮ電話機３の識別情報を削除する。出力部３２ｂは、管理部３３が識別情報を削除すると、登録削除成功情報を送信する。無線ＬＡＮ電話機２の受信部２５ａが登録削除成功情報を受信すると、制御部２４は、登録サーバ１の登録部１１に、記憶部２１に記憶されている識別情報を登録する。
【００９４】
この場合、無線ＬＡＮ電話機２が充電台から外されると、有線ＬＡＮ電話機３の識別情報が登録サーバ１から削除され、無線ＬＡＮ電話機２の識別情報が登録サーバ１に登録される。
【００９５】
したがって、有線ＬＡＮ電話機３から無線ＬＡＮ電話機２への切り替えを容易に行うことが可能になる。
【００９６】
以上説明した各実施形態において、図示した構成は単なる一例であって、本発明はその構成に限定されるものではない。
【図面の簡単な説明】
【００９７】
【図１】本発明の第一の実施形態のＬＡＮ電話機システムを示したブロック図である。
【図２】登録サーバの構成例を示したブロック図である。
【図３】無線ＬＡＮ電話機の構成例を示したブロック図である。
【図４】有線ＬＡＮ電話機の構成例を示したブロック図である。
【図５】本発明の第二の実施形態のＬＡＮ電話機システムを示したブロック図である。
【図６】登録サーバの他の構成例を示したブロック図である。
【図７】無線ＬＡＮ電話機の他の構成例を示したブロック図である。
【図８】有線ＬＡＮ電話機の他の構成例を示したブロック図である。
【図９】電話機システムの初期状態を示した説明図である。
【図１０】無線ＬＡＮ電話機から有線ＬＡＮ電話機へ切り替える際の電話機システムの動作を説明するためのシーケンス図である。
【図１１】電話機システムの他の初期状態を示した説明図である。
【図１２】有線ＬＡＮ電話機から無線ＬＡＮ電話機へ切り替える際の電話機システムの動作を説明するためのシーケンス図である。
【符号の説明】
【００９８】
１        登録サーバ
２        無線ＬＡＮ電話機
３        有線ＬＡＮ電話機
４        充電台
１１      登録部
１２      処理部
１３      サーバ受信部
１４      サーバ送信部
２１      記憶部
２２      充電部
２２ａ、４１    充電端子
２２ｂ    充電制御部
２２ｃ    蓄電部
２３      検出部
２４      制御部
２５、３２      通信部
２５ａ    受信部
２５ｂ    送信部
３１      記録部
３２ａ    受付部
３２ｂ    送信部
４２      電源部
【図１】
0005057080.tif 000002
【図２】
0005057080.tif 000003
【図３】
0005057080.tif 000004
【図４】
0005057080.tif 000005
【図５】
0005057080.tif 000006
【図６】
0005057080.tif 000007
【図７】
0005057080.tif 000008
【図８】
0005057080.tif 000009
【図９】
0005057080.tif 000010
【図１０】
0005057080.tif 000011
【図１１】
0005057080.tif 000012
【図１２】
0005057080.tif 000013